(57)【要約】【課題】  脊髄の外科治療を容易にし、かつ外科治療の時間を短縮させるプラグタイプの脊椎固定装置を提供する。【解決手段】  プラグタイプの脊椎固定装置は、固定ロッド２０と、締結ねじ４１、およびＣ形リング４２を有する締結ねじアセンブリと、プラグ５０と、固定ロッド２０を内部に摺動可能に収容する収容孔３１、Ｃ形リング４２を回転可能に支持する凹面壁３２２を有する締結孔３２、および収容孔３１と締結孔３２とを連通する連通孔３２１を有する固定座部とを有する。Ｃ形リング４２は、締結ねじ４１に取り付けられる。そのために、Ｃ形リング４２を固定座部３０の締結孔３２の内部に収容して、締結ねじ４１はＣ形リング４２に把持される。Ｃ形リング４２および固定ロッド２０は、プラグ５０が固定座部３０の連通孔３２１に挿入されることによって、固定座部３０における締結孔３２および収容孔３１の内部に固定される。【選択図】図１
2006026074.tif 000002
【特許請求の範囲】
【請求項１】
プラグタイプの脊椎固定装置であって、
固定ロッドと、
締結ねじおよび外表面が凸状を呈するＣ形リングを有する締結ねじアセンブリと、
プラグと、
前記固定ロッドを内部に摺動可能に収容する収容孔、前記Ｃ形リングを回転可能に支持する凹面壁が形成された締結孔、および前記収容孔と前記締結孔とを連通する連通孔が形成された固定座部と、を有し、
前記締結ねじは、ねじ部および前記Ｃ形リングが取り付けられる端部を有し、前記Ｃ形リングが前記締結ねじの前記端部に取り付けられて前記固定座部の前記締結孔内に収容された場合、前記締結ねじは前記Ｃ形リングによって把持され、
前記固定ロッドが前記収容孔内に収容され、かつ前記締結ねじに取り付けられた前記Ｃ形リングが前記固定座部の前記締結孔内に収容された場合、前記プラグが前記固定座部の前記連通孔内に挿入されることによって、前記Ｃ形リングおよび前記固定ロッドは、前記固定座部の前記締結孔および前記収容孔の内部に固定されるプラグタイプの脊椎固定装置。
【請求項２】
前記Ｃ形リングは、スロットを有する請求項１に記載のプラグタイプの脊椎固定装置。
【請求項３】
前記連通孔は、前記締結孔の長手方向の軸と平行な長手方向の軸を有する請求項１に記載のプラグタイプの脊椎固定装置。
【請求項４】
前記プラグは、２つの傾斜面を有するテーパ状の端部を有し、
前記端部には、円形の凹部とグルーブとが、分離して形成され、
前記円形の凹部は、前記Ｃ形リングの前記凸状を呈する外表面に対応する形状を呈し、
前記グルーブは、前記固定ロッドに対応する形状を呈する請求項３に記載のプラグタイプの脊椎固定装置。
【請求項５】
前記締結孔は、前記連通孔の長手方向の軸と垂直な長手方向の軸を有する請求項１に記載のプラグタイプの脊椎固定装置。
【請求項６】
前記プラグは、一方の側面が傾斜し、当該側面に、前記プラグと前記Ｃ形リングとの接触範囲を増加させるために、円形の凹部が形成され、他方の側面に、前記固定ロッドを前記収容孔内に把持する機構を前記収容孔と組となって構築するために、２つの弓形の爪部が形成される請求項５に記載のプラグタイプの脊椎固定装置。
【発明の詳細な説明】
【技術分野】
【０００１】
本発明は、脊椎の外科治療装置に関し、特に、プラグタイプの脊椎固定装置に関する。
【背景技術】
【０００２】
従来の脊椎分節を固定するために使用される固定ロッドを締結するための脊椎固定装置は、米国特許第５１４７３５９号および米国特許第６６０２２５３号に開示されているように、脊椎ねじあるいはフック部が設けられた固定ロッドを固定するために、複雑な固定機構が必要とされる。
【０００３】
この結果、従来の脊椎固定装置は、脊髄の外科治療を困難にし、かつ外科治療に長時間を要していた。
【発明の開示】
【発明が解決しようとする課題】
【０００４】
本発明は、上記従来技術の有する問題に鑑みなされたものであり、本発明の目的は、従来技術の欠点を無くし、脊髄の外科治療を容易にし、かつ外科治療の時間を短縮させるプラグタイプの脊椎固定装置を提供することである。
【課題を解決するための手段】
【０００５】
本発明の上記目的は、下記の手段によって達成される。
（１）プラグタイプの脊椎固定装置であって、固定ロッドと、締結ねじおよび外表面が凸状を呈するＣ形リングを有する締結ねじアセンブリと、プラグと、前記固定ロッドを内部に摺動可能に収容する収容孔、前記Ｃ形リングを回転可能に支持する凹面壁が形成された締結孔、および前記収容孔と前記締結孔とを連通する連通孔が形成された固定座部と、を有し、前記締結ねじは、ねじ部および前記Ｃ形リングが取り付けられる端部を有し、前記Ｃ形リングが前記締結ねじの前記端部に取り付けられて前記固定座部の前記締結孔内に収容された場合、前記締結ねじは前記Ｃ形リングによって把持され、前記固定ロッドが前記収容孔内に収容され、かつ前記締結ねじに取り付けられた前記Ｃ形リングが前記固定座部の前記締結孔内に収容された場合、前記プラグが前記固定座部の前記連通孔内に挿入されることによって、前記Ｃ形リングおよび前記固定ロッドは、前記固定座部の前記締結孔および前記収容孔の内部に固定されるプラグタイプの脊椎固定装置。
（２）前記Ｃ形リングは、スロットを有する（１）に記載のプラグタイプの脊椎固定装置。
（３）前記連通孔は、前記締結孔の長手方向の軸と平行な長手方向の軸を有する（１）に記載のプラグタイプの脊椎固定装置。
（４）前記プラグは、２つの傾斜面を有するテーパ状の端部を有し、前記端部には、円形の凹部とグルーブとが分離して形成され、前記円形の凹部は、前記Ｃ形リングの前記凸状を呈する外表面に対応する形状を呈し、前記グルーブは、前記固定ロッドに対応する形状を呈する（３）に記載のプラグタイプの脊椎固定装置。
（５）前記締結孔は、前記連通孔の長手方向の軸と垂直な長手方向の軸を有する（１）に記載のプラグタイプの脊椎固定装置。
（６）前記プラグは、一方の側面が傾斜し、当該側面に、前記プラグと前記Ｃ形リングとの接触範囲を増加させるために、円形の凹部が形成され、他方の側面に、前記固定ロッドを前記収容孔内に把持する機構を前記収容孔と組となって構築するために、２つの弓形の爪部が形成される（５）に記載のプラグタイプの脊椎固定装置。
【発明の効果】
【０００６】
本発明のプラグタイプの脊椎固定装置によれば、締結ねじが設けられた固定ロッドを固定するために、ねじ棒ではなく、プラグを使用することによって、操作が容易となり、手術時間が短縮される。さらに、Ｃ形リングの凸状を呈する外表面と、当該外表面に対応する形状を呈する締結孔の凹面壁とが形成されることによって、プラグが所定の箇所に挿入される以前に、固定ロッドと締結ねじとを連結することが容易となる。
【発明を実施するための最良の形態】
【０００７】
本発明の好ましい実施形態について、添付図に示す例を用いて、以下に述べる。
【０００８】
図１に示す本発明の好ましい一つの実施形態におけるプラグタイプの脊椎固定装置１０は、脊椎分節を固定するために用いられ、固定ロッド２０と、締結ねじ４１およびＣ形リング４２から構成される締結ねじアセンブリ４０と、プラグ５０と、固定ロッド２０を内部に摺動可能に収容する収容孔３１、Ｃ形リング４２を回転可能に支持する凹面壁３２２が形成された締結孔３２、および収容孔３１と締結孔３２とを連通する連通孔３２１が形成された固定座部３０と、を有する。連通孔３２１は、締結孔３２の長手方向の軸と平行な長手方向の軸を有する。
【０００９】
締結ねじ４１は、ねじ部４１１と、およびＣ形リング４２が取り付けられる端部とを有し、ねじ部４１１と前記端部との間を境界付けるフランジが、設けられている。Ｃ形リング４２は、前記端部に取り付けられ、締結ねじ４１のフランジに支持される。Ｃ形リング４２は、スロット４２１と、締結孔３２の凹面壁３２２に対応する凸状を呈する外表面とを有する。これにより、Ｃ形リング４２は、締結孔３２の内部に、弾性的に押し縮められて回転可能に収容されることが可能となる。一方、締結ねじ４１は、固定座部３０の締結孔３２の内部に、Ｃ形リング４２によって把持される。固定座部３０に取り付けられた締結ねじ４１は、頂部に工具孔が設けられ、当該工具孔が使用されることによって、脊椎（図示せず）の茎部にねじ入れられる。固定ロッド２０が収容孔３１内に挿入された後に、締結ねじ４１の位置を調整するため、固定座部３０の角度および方向が調節される。
【００１０】
プラグ５０は、２つの傾斜面５１が形成されたテーパ状の端部を有し、この端部上に、円形の凹部５１１およびグルーブ５１２が、分離して形成される。円形の凹部５１１は、Ｃ形リング４２の凸状を呈する外表面に対応する形状を呈し、グルーブ５１２は、固定ロッド２０に対応する形状を呈する。Ｃ形リング４２および固定ロッド２０は、プラグ５０が連通孔３２１の内部に挿入された後に、当該挿入に伴い生じる押圧力によって、固定される。
【００１１】
本発明の第２の実施形態におけるプラグタイプの脊椎固定装置１０は、図１に示した第１の実施形態と類似するが、図２ａ，２ｂ，および３に示すように、固定座部６０およびプラグ７０の形態が異なる。なお、図２ａ，２ｂ，および３に示す部材について、上記に示した部材と同じである部材については、同じ符号を付している。本実施形態において、固定座部６０は、側面に連通孔６２１を有する。これにより、収容孔６１は、凹面壁６２２を有する締結孔６２と連通される。締結孔６２は、連通孔６２１の長手方向の軸と垂直な長手方向の軸を有する。締結ねじアセンブリ４０（締結ねじ４１とＣ形リング４２）および固定ロッド２０は、図1に示した第１の実施形態と同様に、固定座部６０に取り付けられる。プラグ７０は、一方の側面が傾斜し、当該側面に、円形の凹部７２が形成され、他方の側面に、２つの弓形の爪部７１が形成され、Ｃ形リング４２と固定ロッド２０とを、固定座部６０内において同時に締め付けるために、連通孔６２１へ挿入される。弓形の爪部７１と収容孔６１とは、ともに収容孔６１の内部において固定ロッド２０を把持するための機構を構築する。プラグ７０の側面が傾斜していることによって、固定ロッド２０とＣ形リング４２との間にプラグ７０を挿入することが容易となる。また、円形の凹部７２によって、プラグ７０とＣ形リング４２とが接触する範囲が増加され、締結孔６２２の内部におけるＣ形リングの固定は強固なものとされる。
【図面の簡単な説明】
【００１２】
【図１】第1の実施形態における脊椎固定装置の分解斜視図である。
【図２ａ】第２の実施形態における脊椎固定装置の分解斜視図である。
【図２ｂ】第２の実施形態における脊椎固定装置の使用される際の状態を示す斜視図である。
【図３】図２ａおよび２ｂに示す第２の実施形態における脊椎固定装置に用いられるプラグの斜視図および平面図である。
【符号の説明】
【００１３】
１０    脊椎固定装置、
２０    固定ロッド、
３０，６０    固定座部、
３１，６１    収容孔、
３２，６２    締結孔、
４０    締結ねじアセンブリ、
４１    締結ねじ、
４２    Ｃ形リング、
５０，７０    プラグ、
５１    傾斜面、
７１    爪部、
３２１，６２１    連通孔、
３２２，６２２    凹面壁、
５１１，７２    円形の凹部、
５１２    グルーブ。
【図１】
2006026074.tif 000003
【図２ａ】
2006026074.tif 000004
【図２ｂ】
2006026074.tif 000005
【図３】
2006026074.tif 000006